(57)【要約】【課題】筐体の密閉性を高める。【解決手段】筐体は、前面が開口したケース部材１２と、前記ケース部材１２の前面の開口を塞ぐよう前記ケース部材１２に固着されたカバー部材とを有する。前記ケース部材１２は、側面を貫通する貫通穴を有する。可動部１４，１５は、前記筐体の内部に配置され、回路を制御する内部部材４２，５２と、前記内部部材４２，５２とは別部品であって、前記筐体の外部に露出して、前記使用者に操作される外部部材４１，５１とを有する。前記外部部材４１，５１は、前記貫通穴に挿通された軸部を有する。【選択図】図２
2020004645.tif 000002
【特許請求の範囲】
【請求項１】
中空箱状の筐体と、
前記筐体の内部に設けられた回路と、
使用者に操作されて前記回路を制御する可動部と
を備えたスイッチにおいて、
前記筐体は、
前面が開口したケース部材と、
前記ケース部材の前面の開口を塞ぐよう前記ケース部材に固着されたカバー部材と
を有し、
前記ケース部材は、側面を貫通する貫通穴を有し、
前記可動部は、
前記筐体の内部に配置され、前記回路を制御する内部部材と、
前記内部部材とは別部品であって、前記筐体の外部に露出して、前記使用者に操作される外部部材と
を有し、
前記外部部材は、前記貫通穴に挿通された軸部を有する、
スイッチ。
【請求項２】
前記可動部は、前記軸部を中心として回動し、
前記内部部材は、
前記軸部の一方の端が挿入される嵌合穴を有し、
前記嵌合穴と前記軸部の一方の端とが嵌合することにより、前記内部部材は、前記外部部材と一体となって回動する、
請求項１のスイッチ。
【請求項３】
前記可動部は、更に、
前記外部部材と前記内部部材とを固定する固定部材を有し、
前記外部部材は、更に、
前記軸部の他方の端に設けられた円板部を有し、
前記固定部材によって前記外部部材と前記内部部材とを固定した状態において、前記円板部と、前記ケース部材の前記側面との間に迷路構造が形成されている、
請求項２のスイッチ。
【請求項４】
前記ケース部材は、更に、
前記貫通穴の周囲に設けられ前記円板部と係合する凹部を有し、
前記円板部の表面は、前記ケース部材の前記側面と略面一である、
請求項３のスイッチ。
【請求項５】
前記固定部材によって前記外部部材と前記内部部材とを固定していない状態では、前記嵌合穴と前記軸部の一方の端との嵌合を維持したまま、前記外部部材を前記内部部材に対して軸方向に移動させることができる、
請求項３又は４のスイッチ。
【請求項６】
前記内部部材は、更に、
中心に前記嵌合穴が設けられた円環部と、
前記円環部から径方向に延びた作動部と
を有し、
前記ケース部材の前面の開口が前記カバー部材で塞がれていない状態において、前記嵌合穴と前記軸部の一方の端とを嵌合させ、前記外部部材を回動させることにより、前記作動部の先端を前記ケース部材の前面の開口から外側へ露出させることができる、
請求項５のスイッチ。
【請求項７】
前記ケース部材は、
内側に前記円環部と係合する受け部を有し、
前記受け部に前記円環部を係合させることにより、前記嵌合穴を前記貫通穴と略同軸に位置決めすることができる、
請求項６のスイッチ。
【請求項８】
前記可動部は、前記軸部の軸方向に沿って直線移動し、
前記内部部材は、
前記軸部に当接する当接部を有し、
前記外部部材を前記筐体の内側へ向けて直線移動させると、前記軸部が前記当接部を押圧することにより、前記内部部材が、前記外部部材と一体となって直線移動する、
請求項１のスイッチ。
【発明の詳細な説明】
【技術分野】
【０００１】
本発明は、スイッチに関する。更に詳しくは、スイッチの筐体の防塵構造に関する。
【背景技術】
【０００２】
特許文献１に記載されたトリガースイッチは、スイッチング機構などの回路を内蔵する筐体と、トリガーなどの可動部とを備え、可動部を操作することにより回路を制御する。
筐体のなかに部品を組み付けるため、筐体は、ケースとカバーとに分かれている。ケースとカバーとの間の隙間から筐体のなかに塵芥が侵入するのを防ぐため、ケースにカバーを接着している。
また、筐体には、可動部が通る穴が設けられている。この穴は、ケースとカバーとの境界部分に配置されている。これにより、ケースに可動部を組み付けてから、カバーを取り付けることにより、複雑な形状を有する可動部を容易に組み付けることができる。
【先行技術文献】
【特許文献】
【０００３】
【特許文献１】特開２０１２−２０６２４８号公報
【発明の概要】
【発明が解決しようとする課題】
【０００４】
しかし、可動部が通る穴をケースとカバーとの境界部分に配置すると、ケースとカバーとの境界部分の形状が複雑になる。
このため、ケース及びカバーの加工精度を高くする必要が生じる。ケース及びカバーの加工精度が低いと、ケースとカバーとの境界部分に隙間ができ、そこから筐体のなかに塵芥が侵入する可能性があるからである。
また、ケースとカバーとの境界部分の形状が複雑だと、接着剤で接着する場合には、接着剤を塗布する手間が増える。また、超音波溶着をする場合には、押圧方向に対して角度がある部分で、溶着が不完全になる可能性がある。
可動部が通る穴を、ケースを貫通する貫通穴とすれば、ケースとカバーとの境界部分の形状をもっと単純にすることができる。しかし、そうすると、複雑な形状の可動部を組み付けることが難しくなる。
本発明は、例えば、上述のような課題を解決し、筐体の密閉性を高めることを目的とする。
【課題を解決するための手段】
【０００５】
本発明にかかるスイッチは、中空箱状の筐体と、前記筐体の内部に設けられた回路と、使用者に操作されて前記回路を制御する可動部とを有する。
前記筐体は、前面が開口したケース部材と、前記ケース部材の前面の開口を塞ぐよう前記ケース部材に固着されたカバー部材とを有する。
前記ケース部材は、側面を貫通する貫通穴を有する。
前記可動部は、前記筐体の内部に配置され、前記回路を制御する内部部材と、前記内部部材とは別部品であって、前記筐体の外部に露出して、前記使用者に操作される外部部材とを有する。
前記外部部材は、前記貫通穴に挿通された軸部を有する。
前記可動部は、前記軸部を中心として回動してもよい。
前記内部部材は、前記軸部の一方の端が挿入される嵌合穴を有してもよい。
前記嵌合穴と前記軸部の一方の端とが嵌合することにより、前記内部部材は、前記外部部材と一体となって回動してもよい。
前記可動部は、前記外部部材と前記内部部材とを固定する固定部材を有してもよい。
前記外部部材は、前記軸部の他方の端に設けられた円板部を有してもよい。
前記固定部材によって前記外部部材と前記内部部材とを固定した状態において、前記円板部と、前記ケース部材の前記側面との間に迷路構造が形成されてもよい。
前記ケース部材は、更に、前記貫通穴の周囲に設けられ前記円板部と係合する凹部を有してもよい。
前記円板部の表面は、前記ケース部材の側面と略面一であってもよい。
前記固定部材によって前記外部部材と前記内部部材とを固定していない状態では、前記嵌合穴と前記軸部の一方の端との嵌合を維持したまま、前記外部部材を前記内部部材に対して軸方向に移動させることができてもよい。
前記内部部材は、中心に前記嵌合穴が設けられた円環部を有してもよい。
前記内部部材は、前記円環部から径方向に延びた作動部を有してもよい。
前記ケース部材の前面の開口が前記カバー部材で塞がれていない状態において、前記嵌合穴と前記軸部の一方の端とを嵌合させ、前記外部部材を回動させることにより、前記作動部の先端を前記ケース部材の前面の開口から外側へ露出させることができてもよい。
前記ケース部材は、内側に前記円環部と係合する受け部を有してもよい。
前記受け部に前記円環部を係合させることにより、前記嵌合穴を前記貫通穴と略同軸に配置することができてもよい。
前記可動部は、前記軸部の軸方向に沿って直線移動してもよい。
前記内部部材は、前記軸部に当接する当接部を有してもよい。
前記外部部材を前記筐体の内側へ向けて直線移動させると、前記軸部が前記当接部を押圧することにより、前記内部部材が、前記外部部材と一体となって直線移動してもよい。
【発明の効果】
【０００６】
本発明によれば、前記可動部の前記軸部を通すための貫通穴が、前記ケース部材を貫通して設けられているので、前記ケース部材と前記カバー部材との境界部分の形状を単純にすることができ、前記筐体の密閉性を高めることができる。
前記内部部材と前記外部部材とが別部品で構成されているので、前記可動部が複雑な形状であっても、前記貫通穴を通った状態に組み立てることが容易にできる。
前記内部部材が前記外部部材と一体となって回動すれば、使用者が前記外部部材を回動させたとき、それに伴って前記内部部材が回動し、前記筐体の内部に設けられた前記回路を制御することができる。
前記外部部材と前記内部部材とを前記固定部材で固定したとき、前記外部部材の前記円板部と前記ケース部材の前記側面との間に迷路構造が形成されれば、前記貫通穴を通して前記筐体の内部に塵芥が侵入するのを防ぐことができる。
前記円板部の表面が前記ケース部材の前記側面と略面一であれば、段差に塵芥が溜まって前記筐体の内部に侵入するのを防ぐことができる。
前記外部部材と前記内部部材とを前記固定部材で固定していない状態で、前記嵌合穴と前記軸部の一方の端との嵌合を維持したまま、前記外部部材を前記内部部材に対して軸方向に移動させることができれば、前記外部部材が回動する範囲を大きくすることができるので、前記スイッチの組み立てを容易にすることができる。例えば、前記作動部の先端を前記ケース部材の前面の開口から外側に露出させることが容易にできる。
前記受け部に前記円環部を係合させることにより前記嵌合穴を前記貫通穴と略同軸に配置することができれば、前記スイッチの組み立てを容易にすることができる。
前記内部部材が前記外部部材と一体となって直線移動すれば、使用者が前記外部部材を押したとき、それに伴って前記内部部材が移動し、前記筐体の内部に設けられた前記回路を制御することができる。
【図面の簡単な説明】
【０００７】
【図１】スイッチの一例を示す斜視図。
【図２】カバー部材及び基板を取り除いたスイッチの一例を示す斜視図。
【図３】基板及びカバー部材の一例を示す斜視図。
【図４】ケース部材の一例を示す斜視図。
【図５】可動部の一例を示す拡大斜視図。
【図６】可動部の一例を示す分解拡大斜視図。
【図７】スイッチの組立手順の一例を示す斜視図。
【図８】スイッチの組立手順の一例を示す斜視図。
【図９】可動部の一例を示す斜視図。
【図１０】外部部材の一例を示す斜視図。
【図１１】内部部材の一例を示す斜視図。
【図１２】スイッチの組立手順の一例を示す斜視図。
【図１３】可動部の一例を示す斜視図。
【図１４】外部部材の一例を示す斜視図。
【図１５】内部部材の一例を示す斜視図。
【図１６】スイッチの組立手順の一例を示す斜視図。
【図１７】外部部材の一例を示す斜視図。
【図１８】内部部材の一例を示す斜視図。
【図１９】スイッチの組立手順の一例を示す斜視図。
【発明を実施するための形態】
【０００８】
図１を参照すると、スイッチ１０は、使用者によって操作されることにより電気回路の動作を制御するための信号を発生する装置である。前記スイッチ１０は、以下を有する。
＜筐体１１＞中空箱状であり、回路を収容する。前記回路は、前記電気回路に電気接続されてその一部をなす。前記筐体１１は、ケース部材１２と、カバー部材１３とを有する。前記ケース部材１２及び前記カバー部材１３は、超音波溶着するなどして互いに固着され、これにより、ケース部材１２とカバー部材１３との間の隙間から塵芥などが筐体１１のなかに侵入するのを防ぐ。
＜可動部１５＞前記使用者に操作されてＬ−Ｒ方向に略平行な方向に沿って直線移動する。例えば、スイッチ１０は、使用者が可動部１５を引き込んだ量にしたがってモータに供給する電力を制御するなど、可動部１５の位置にしたがって前記電気回路の動作を制御する信号を発生させる。前記信号は、前記電気回路の動作を直接制御するための制御信号であってもよいし、前記スイッチ１０の外部に設けられ前記電気回路の動作を制御する制御回路に入力される検知信号であってもよい。前記制御信号及び前記検知信号は、例えば、回路の開閉によって表されるものであってもよいし、抵抗値など電気的特性値によって表されるものであってもよい。
＜可動部１４＞使用者に操作されてＵ−Ｄ方向に略平行な軸を中心として回動し、前記回路を制御する。例えば、スイッチ１０は、使用者が可動部１４を回動させた位置にしたがって前記モータの回転方向を制御するなど、可動部１４の位置にしたがって前記電気回路の動作を制御する信号を発生させる。
【０００９】
図２を参照すると、前記スイッチ１０は、更に、以下を有する。
＜節度部２７＞前記ケース部材１２のなかに配置されている。なお、前記節度部２７は、前記ケース部材１２と一体に形成されていてもよく、前記ケース部材１２とは別部品であってもよい。
＜付勢部材５５＞圧縮コイルばねなど、圧縮に対して復元力を発生する部材である。前記ケース部材１２のなかに配置され、Ｌ−Ｒ方向に略平行な方向に沿って圧縮されることにより発生する復元力によって、前記可動部１５をＬ方向へ向けて付勢する。
＜二つの固定接片１８＞前記ケース部材１２に嵌合され固定されている。前記固定接片１８の一部は、前記筐体１１の外に露出している。前記固定接片１８には、外部の前記電気回路からの配線が電気接続される。
＜可動接片１９＞前記可動部１５の移動に伴って回動して、前記固定接片１８の間を短絡／離間させる。
【００１０】
また、前記可動部１４は、以下を有する。
＜内部部材４２＞前記筐体１１のなかに配置され、前記回路を作動させる。前記内部部材４２には、可動接片４７が固定されている。
＜外部部材４１＞前記内部部材４２とは別部品であり、前記内部部材４２に固定されている。前記筐体１１の外部に露出し、前記使用者によって操作される。
【００１１】
また、前記可動部１５は、以下を有する。
＜内部部材５２＞前記筐体１１のなかに配置され、前記回路を作動させる。前記内部部材５２には、二つの可動接片５７が固定されている。
＜外部部材５１＞前記内部部材５２とは別部品である。前記筐体１１の外部に露出し、前記使用者によって操作される。
【００１２】
図３を参照すると、前記スイッチ１０は、更に、以下を有する。
＜基板１６＞前記筐体１１のなかに配置されている。前記基板１６には、プリント回路などの回路６１が形成されている。前記回路６１は、前記可動接片４７，５７と接触／離間するなどして、前記可動部１４，１５の位置を検出する。前記基板１６の一部は、前記筐体１１の外に露出している。
＜端子１７＞前記筐体１１の外に配置され、半田付けなどにより前記基板１６に固定され、前記回路６１と電気接続している。前記端子１７には、外部の前記電気回路からの配線が電気接続され、これにより、前記回路６１を前記電気回路に電気接続する。
＜パッキン６２＞環状のゴムなどの封止部材であり、前記基板１６に巻き付けられている。これにより、前記基板１６と前記筐体１１との間の隙間から塵芥などが筐体１１のなかに侵入するのを防ぐ。
【００１３】
また、前記カバー部材１３は、以下を有する。
＜前面部３４＞Ｆ−Ｂ方向に略垂直な略長方形板状である。
＜突条３１＞前記前面部３４の外周に沿って、Ｂ側の面から突出している。前記突条３１は、前記カバー部材１３を前記ケース部材１２に超音波溶着するための糊しろである。なお、前記カバー部材１３のＤ側には、前記突条３１が設けられていない箇所がある。これにより、前記ケース部材１２との間に、前記基板１６の一部を前記筐体１１の外部に露出させるための隙間が形成される。
＜二つの受け部３５＞Ｕ−Ｄ方向に略垂直な板状であり、前記前面部３４のＢ側の面から突出している。前記受け部３５の先端は、半円形凹状であり、これにより、前記可動部１４と係合する。
【００１４】
図４を参照すると、前記ケース部材１２は、Ｆ側が開口した略直方体箱状であり、以下を有する。
＜背面部２４＞Ｆ−Ｂ方向に略垂直な略長方形板状である。
＜上側面部２２＞Ｕ−Ｄ方向に略垂直な略長方形板状であり、前記背面部２４のＵ側の端からＦ方向に延びている。
＜左側面部２３＞Ｌ−Ｒ方向に略垂直な略長方形板状であり、前記背面部２４のＬ側の端からＦ方向に延びている。Ｕ側の端は、前記上側面部２２のＬ側の端と連結している。
＜右側面部２８＞Ｌ−Ｒ方向に略垂直な略長方形板状であり、前記背面部２４のＲ側の端からＦ方向に延びている。Ｕ側の端は、前記上側面部２２のＲ側の端と連結している。
＜溝２１１＞前記開口の外周に沿って、前記上側面部２２・前記左側面部２３・前記右側面部２８のＦ側の端から凹設されている。前記溝２１１は、前記カバー部材１３の前記突条３１に対応し、前記突条３１と溶着される。
＜二つの受け部２５＞Ｕ−Ｄ方向に略垂直な板状であり、前記背面部２４のＦ側の面から突出している。なお、もう一つの受け部２５は、図１２に示されている。前記受け部２５の先端は、半円形凹状であり、これにより、前記可動部１４と係合し、前記カバー部材１３の前記受け部３５と協働して、前記可動部１４を回動可能に支持する。
＜三つの案内部２６＞Ｕ−Ｄ方向に略垂直な板状であり、前記左側面部２３から前記右側面部２８までに亘って、前記背面部２４のＦ側の面から突出している。前記案内部２６は、前記可動部１５と係合して、前記可動部１５の直線移動を案内する。
【００１５】
図７も合わせて参照すると、前記上側面部２２は、以下を有する。
＜貫通穴２２１＞Ｕ−Ｄ方向に略平行な軸を中心とする略円形の穴であり、前記上側面部２２を貫通している。前記上側面部２２における位置は、Ｆ−Ｂ方向において略中央であり、Ｌ−Ｒ方向においてＬ側の端に近い。
＜凹部２２２＞前記上側面部２２のＵ側の面から凹設されている。底面の形状は、略長方形と略円形とが結合した形状である。前記略円形の部分は、前記貫通穴２２１と略同軸である。前記略長方形の部分は、幅が前記略円形の部分の直径より小さく、前記略円形の部分と前記上側面部２２のＬ側の端との間を繋いでいる。
＜二つの環状突起２２４＞前記凹部２２２の前記底面から突出している。中心は、前記貫通穴２２１の中心と略等しい。
【００１６】
前記左側面部２３は、以下を有する。
＜貫通穴２３１＞Ｌ−Ｒ方向に略平行な軸を中心とする略円形の穴であり、前記左側面部２３を貫通している。
【００１７】
図５を参照すると、前記可動部１４は、更に、以下を有する。
＜固定部材４３＞前記外部部材４１と前記内部部材４２とを固定している。
＜押し棒４４＞前記内部部材４２のＲ側の端に配置され、Ｌ−Ｒ方向に略平行な方向に直線移動可能であり、前記節度部２７と当接して協働し、前記可動部１４を回動させたとき、クリック感を醸成する。
【００１８】
図６を参照すると、前記外部部材４１は、以下を有する。
＜軸部４１１＞Ｕ−Ｄ方向に略平行な軸を中心とする略円柱形状である。直径は、前記ケース部材１２の前記貫通穴２２１の直径よりわずかに小さい。組み立てたとき、前記外部部材４１は、軸部４１１を中心として回動する。Ｆ側に切欠４１２が設けられている。前記切欠４１２は、前記軸部４１１の側面を削って平らにした形状である。また、固定穴４１３が前記切欠４１２からＦ−Ｂ方向に略平行な方向に貫通している。
＜円板部４１４＞Ｕ−Ｄ方向に略垂直な略円形板状であり、前記軸部４１１と略同軸である。直径は、前記ケース部材１２の前記凹部２２２の略円形の部分の直径よりもわずかに小さい。厚さは、前記ケース部材１２の前記凹部２２２の深さと略等しい。組み立てたとき、前記円板部４１４のＵ側の面は、前記ケース部材１２の前記上側面部２２のＵ側の面と面一になる。ここに段差があると、塵芥が溜まり、筐体１１の内部に侵入するかもしれないので、その可能性をなくすためである。
＜二つの環状突起４１５＞前記円板部４１４のＤ側の面から突出している。中心は、前記円板部４１４の中心と略等しい。組み立てたとき、環状突起４１５は、前記ケース部材１２の前記環状突起２２４と互い違いに係合して、迷路構造を形成する。これにより、前記円板部４１４と前記凹部２２２との間の隙間から塵芥が筐体１１のなかに侵入するのを防ぐ。
＜操作部４１６＞前記円板部４１４からＬ方向に略平行な方向に延びている。組み立てたとき、使用者は、前記操作部４１６を持って、前記可動部１４を回動させる。このとき、前記ケース部材１２の前記凹部２２２の側面に前記操作部４１６が当たることにより、前記可動部１４の回動範囲が制限される。
【００１９】
また、前記内部部材４２は、以下を有する。
＜円環部４２１＞Ｕ−Ｄ方向に略平行な軸を中心とする略円筒形状である。前記円環部４２１のＵ方向及びＤ方向の端部付近は、中央部分よりも直径が小さく、前記ケース部材１２及び前記カバー部材１３の前記受け部２５，３５と係合して回動可能に支持される。前記円環部４２１には、略同軸に嵌合穴４２４が設けられている。前記嵌合穴４２４は、略円柱状であり、直径は、前記外部部材４１の前記軸部４１１の直径よりもわずかに大きい。前記嵌合穴４２４のＦ側の内周には、前記軸部４１１の前記切欠４１２に対応する平面部４２５が設けられている。これにより、組み立てたとき、前記内部部材４２と前記外部部材４１とが係合し、前記固定部材４３で固定されていなくても、前記内部部材４２が前記外部部材４１と一体となって回動する。また、前記円環部４２１のＦ側の外周には、切欠４２２が設けられている。前記切欠４２２は、組み立てるときに、前記平面部４２５がある位置を容易に識別できるようにするための目印である。また、固定穴４２３がＦ−Ｂ方向に略平行な方向に貫通している。前記固定穴４２３は、前記嵌合穴４２４と交わり、組み立てたとき、前記外部部材４１の前記固定穴４１３と連通する。
＜作動部４２６＞前記円環部４２１からＲ方向に略平行な方向に延びている。前記作動部４２６のＦ側の側面には、可動接片４７を固定するための係合部４２７が設けられている。また、前記作動部４２６のＲ側の先端には、挿入穴４２８がＬ方向へ向けて凹設されている。前記挿入穴４２８は、前記押し棒４４を装着するための穴である。
【００２０】
前記固定部材４３は、例えば板ばねを丸めて、わずかな隙間を残して略円筒状にしたものである。組み立てたとき、前記内部部材４２及び前記外部部材４１の固定穴４２３，４１３に挿嵌され、前記外部部材４１と前記内部部材４２とを固定する。
【００２１】
また、前記可動部１４は、更に、以下を有する。
＜付勢部材４５＞圧縮コイルばねなど、圧縮に対して復元力を発生する部材である。前記挿入穴４２８のなかに配置され、Ｌ−Ｒ方向に略平行な方向に圧縮されることにより発生する復元力によって、前記押し棒４４をＲ方向へ向けて付勢する。これにより、組み立てたとき、押し棒４４の先端が節度部２７に当接し、クリック感を醸成する。
【００２２】
図７及び８を参照して、前記可動部１４を前記ケース部材１２に組み付ける手順を説明する。
最初に、前記内部部材４２の前記作動部４２６を持って、前記ケース部材１２の開口から、前記内部部材４２の前記円環部４２１を、前記ケース部材１２のなかに挿入し、前記ケース部材１２の前記受け部２５に押し当てる。これにより、前記内部部材４２の前記嵌合穴４２４が、前記ケース部材１２の前記貫通穴２２１と略同軸に位置決めされる。
【００２３】
次に、前記外部部材４１の前記操作部４１６を持って、前記ケース部材１２の前記貫通穴２２１から、前記外部部材４１の前記軸部４１１を、前記ケース部材１２のなかに挿入し、前記軸部４１１の先端を前記内部部材４２の前記嵌合穴４２４に係合させる。
この状態において、前記外部部材４１の前記操作部４１６のＤ側の面が、前記ケース部材１２の前記上側面部２２に当接しているので、前記外部部材４１は、前記固定穴４１３が前記固定穴４２３と連通する位置まで至っていない。しかし、前記軸部４１１の先端が前記嵌合穴４２４に係合しているので、前記外部部材４１を回動させると、前記内部部材４２は、前記外部部材４１と一体となって回動する。このため、前記内部部材４２の先端を前記ケース部材１２から外に露出させることが容易にでき、前記挿入穴４２８に前記付勢部材４５や前記押し棒４４を挿入するなどの組み立て作業が容易にできる。
【００２４】
その後、前記外部部材４１を回動させて、Ｌ−Ｒ方向に略平行にすると、前記凹部２２２に前記作動部４１６が嵌まり、前記外部部材４１を更にＤ方向へ移動させることができるようになる。これにより、前記固定穴４１３が前記固定穴４２３と連通するので、ここに前記固定部材４３を挿嵌することにより、前記外部部材４１を前記内部部材４２に固定する。
【００２５】
図９を参照すると、前記外部部材５１は、以下を有する。
＜軸部５１１＞Ｌ−Ｒ方向に略平行な方向に延びる略円柱状である。直径は、前記ケース部材１２の前記貫通穴２３１の直径よりわずかに小さい。組み立てたとき、前記外部部材５１は、前記軸部５１１に沿って直線移動する。前記軸部５１１のＲ側の先端には、前記内部部材５２と係合するための係合部５１２が設けられている。
＜操作部５１６＞前記軸部５１１のＬ側の端に設けられている。組み立てたとき、使用者は、前記操作部５１６を握って、前記可動部１５をＲ方向へ向けて移動させる。使用者が前記操作部５１６を握る力を緩めると、前記付勢部材５５の付勢力により、前記可動部１５がＬ方向に押し戻される。
【００２６】
また、前記内部部材５２は、以下を有する。
＜作動部５２６＞略直方体箱状であり、Ｒ側及びＢ側が開口している。前記付勢部材５５は、前記作動部５２６のなかに係合する。
＜係合部５２２（当接部）＞前記作動部５２６のＬ側に設けられている。前記外部部材５１の前記係合部５１２と係合して、前記内部部材５２を前記外部部材５１に固定する。
【００２７】
図１０を参照すると、前記軸部５１１は、中心軸に沿って貫通する穴５１４を有する。
前記係合部５１２は、前記軸部５１１のＲ側の先端付近を、Ｆ−Ｂ方向に略垂直な平面で切断し、Ｂ側の部分だけを残した略弓形柱形状である。切断平面は、Ｒ側の最先端の部分では、前記中心軸よりもＦ側にあり、それよりもＬ側の部分では、前記中心軸よりもＢ側にあり、これにより、突出部５１３が形成されている。
【００２８】
図１１を参照すると、前記係合部５２２は、前記係合部５１２に対応した形状であり、前記軸部５１１と略同一直径の円柱を、Ｆ−Ｂ方向に略垂直な平面で切断し、Ｆ側の部分だけを残した略弓形柱形状である。切断平面は、Ｌ側の最先端の部分では、前記中心軸よりもＢ側にあり、それよりもＲ側の部分では、前記中心軸よりもＦ側にあり、これにより、突出部５２３が形成されている。
また、前記係合部５２２は、前記作動部５２６のなかに連通した穴５２４を有する。前記穴５２４は、組み立てたとき、前記穴５１４と連通する。
【００２９】
図１２を参照して、前記可動部１５を前記ケース部材１２に組み付ける手順を説明する。
最初に、前記外部部材５１の前記操作部５１６を持って、前記ケース部材１２の前記貫通穴２３１から、前記外部部材５１の前記軸部５１１を、前記ケース部材１２のなかに挿入し、前記係合部５１２を前記ケース部材１２のなかに露出させる。
次に、前記内部部材５２を、前記ケース部材１２の開口から、前記ケース部材１２のなかに挿入し、前記内部部材５２の前記係合部５２２を、図９に示すように、前記係合部５１２に係合させる。これにより、前記外部部材５１と前記内部部材５２とが一体化するので、前記外部部材５１がＬ方向に抜け落ちるのを防ぐことができる。また、前記外部部材５１をＲ方向に移動させると、前記係合部５１２が前記係合部５２２を押圧し、前記内部部材５２が前記外部部材５１と一体となってＲ方向に移動する。
【００３０】
図１３〜１６は、前記可動部１５の別の実施形態を示す。
図１３を参照すると、前記外部部材５１の前記軸部５１１は、前記操作部５１６（不図示）とは別部品であり、前記操作部５１６に固定される。また、前記外部部材５１と前記内部部材５２とが係合する係合部５１２，５２２の形状が、図９〜１２と異なっている。
【００３１】
図１４を参照すると、前記係合部５１２は、前記軸部５１１のＲ側の先端付近を、Ｆ−Ｂ方向に略垂直な平面で切断し、Ｂ側の部分だけを残した略弓形柱形状である。前記切断平面は、前記軸部５１１の前記中心軸よりもＦ側にある。Ｒ側の最先端の部分よりもＬ側の部分は、更に、Ｕ−Ｄ方向に略垂直な平面で、Ｕ側及びＤ側の部分を切断し、これにより、突出部５１３が形成されている。
【００３２】
図１５を参照すると、前記係合部５２２は、前記作動部５２６のなかに凹設されている。前記係合部５２２は、前記係合部５１２に対応した形状であり、Ｌ側の入口のＵ側及びＤ側に突出部５２３が形成されている。
【００３３】
図１６を参照して、前記可動部１５を前記ケース部材１２に組み付ける手順を説明する。
最初に、前記軸部５１１のＬ側の端を持って、前記ケース部材１２の前記貫通穴２３１から、前記軸部５１１のＲ側の端を、前記ケース部材１２のなかに挿入し、前記係合部５１２を前記ケース部材１２のなかに露出させる。
次に、前記内部部材５２を、前記ケース部材１２の開口から、前記ケース部材１２のなかに挿入し、前記内部部材５２の前記係合部５２２を、図１３に示すように、前記係合部５１２に係合させる。
【００３４】
このように、前記係合部５１２は、Ｌ方向から前記貫通穴２３１に挿通して、前記ケース部材１２のなかに露出させることができ、前記係合部５２２は、その後、前記ケース部材１２の開口から、前記ケース部材１２のなかに挿入して、前記ケース部材１２のなかに露出した前記係合部５１２に係合させることができる形状であればよい。
【００３５】
図１７〜１９は、前記可動部１５の更に別の実施形態を示す。
図１７を参照して、前記外部部材５１の前記係合部５１２は、前記軸部５１１の先端付近を一周する溝である。前記係合部５１２は、前記内部部材５２と係合するのではなく、抜止部材５３と係合する。
前記抜止部材５３は、Ｅリングなど、前記係合部５１２と係合して前記軸部５１１に固定される部材である。前記抜止部材５３の外径は、前記ケース部材１２の前記貫通穴２３１の内径よりも大きい。これにより、組み立てたとき、前記外部部材５１がＬ方向に抜け落ちるのを防ぐ。
【００３６】
図１８を参照して、前記内部部材５２は、前記係合部５２２に代えて、受圧部５２１（当接部）を有する。組み立てたとき、前記軸部５１１の先端が前記受圧部５２１に当接する。
【００３７】
図１９を参照して、前記可動部１５を前記ケース部材１２に組み付ける手順を説明する。
最初に、前記外部部材５１の前記操作部５１６を持って、前記ケース部材１２の前記貫通穴２３１から、前記外部部材５１の前記軸部５１１を、前記ケース部材１２のなかに挿入し、前記係合部５１２を前記ケース部材１２のなかに露出させる。
次に、前記抜止部材５３を、前記ケース部材１２の開口から、前記ケース部材１２のなかに挿入し、前記係合部５１２に係合させる。これにより、前記外部部材５１と前記抜止部材５３とが一体化するので、前記外部部材５１がＬ方向に抜け落ちるのを防ぐことができる。
その後、前記内部部材５２を、前記ケース部材１２の開口から、前記ケース部材１２のなかに挿入する。
前記内部部材５２が前記付勢部材５５によってＬ方向に付勢されるので、前記軸部５１１の先端が前記受圧部５２１に当接する。使用者が前記操作部５１６を握ると、前記外部部材５１がＲ方向に移動し、前記軸部５１１の先端が前記受圧部５２１を押圧して、前記内部部材５２が前記外部部材５１とともにＲ方向に移動する。
【００３８】
このように、前記外部部材５１と前記内部部材５２とは、一体となって移動することができれば、係合していなくてもよい。
【００３９】
以上説明した実施形態は、本発明の理解を容易にするための例である。本発明は、これに限定されるものではなく、添付の特許請求の範囲によって定義される範囲から逸脱することなく様々に修正し、変更し、追加し、又は除去したものを含む。これは、以上の説明から当業者に容易に理解することができる。
【符号の説明】
【００４０】
１０  スイッチ、１１  筐体、１２  ケース部材、１３  カバー部材、１４，１５  可動部、１６  基板、１７  端子、１８  固定接片、１９，４７，５７  可動接片、２１１  溝、２２  上側面部、２２１，２３１  貫通穴、２２２  凹部、２２４，４１５  環状突起、２３  左側面部、２４  背面部、２５，３５  受け部、２６  案内部、２７  節度部、２８  右側面部、３１  突条、３４  前面部、４１，５１  外部部材、４１１，５１１  軸部、４１２，４２２  切欠、４１３，４２３  固定穴、４１４  円板部、４１６，５１６  操作部、４２，５２  内部部材、４２１  円環部、４２４  嵌合穴、４２５  平面部、４２６，５２６  作動部、４２７  係合部、４２８  挿入穴、５２１  受圧部、４３  固定部材、４４  押し棒、４５，５５  付勢部材、５１２，５２２  係合部、５１３，５２３  突出部、５１４，５２４  穴、５３  抜止部材、６１  回路、６２  パッキン。
【図１】
2020004645.tif 000003
【図２】
2020004645.tif 000004
【図３】
2020004645.tif 000005
【図４】
2020004645.tif 000006
【図５】
2020004645.tif 000007
【図６】
2020004645.tif 000008
【図７】
2020004645.tif 000009
【図８】
2020004645.tif 000010
【図９】
2020004645.tif 000011
【図１０】
2020004645.tif 000012
【図１１】
2020004645.tif 000013
【図１２】
2020004645.tif 000014
【図１３】
2020004645.tif 000015
【図１４】
2020004645.tif 000016
【図１５】
2020004645.tif 000017
【図１６】
2020004645.tif 000018
【図１７】
2020004645.tif 000019
【図１８】
2020004645.tif 000020
【図１９】
2020004645.tif 000021